(57)【要約】【課題】湿式成膜法により光学薄膜を形成する際、接合レンズに用いられている接合剤が溶解して光学性能が低下するのを防止した光学部材を提供する。【解決手段】光学部材１は、２枚のレンズを接合して構成された接合レンズ５と、接合レンズ５における一端に位置する凸レンズ６の外面側のレンズ面６ａに湿式成膜法により形成された光学薄膜１５と、接合レンズ５における他端に位置する凹レンズ７の外周部と結合して接合レンズ５を保持するように取り付けられ、接合レンズ５と一体的に使用される保持部材１０とを備え、保持部材１０が凸レンズ６から凹レンズ７までの外周部をそれぞれ囲む筒状に形成され、保持部材１０に、凸レンズ６の外周面を外部に露出させる穴部１４が形成されている。【選択図】図１
2012118426.tif 000002
【特許請求の範囲】
【請求項１】
複数のレンズを接合して構成された接合レンズと、
前記接合レンズにおける一端に位置する一端側レンズの外面側のレンズ面に湿式成膜法により形成された光学薄膜と、
前記接合レンズにおける他端に位置する他端側レンズの外周部と結合して前記接合レンズを保持するように取り付けられ、前記接合レンズと一体的に使用される保持部材とを備え、
前記保持部材が前記一端側レンズから前記他端側レンズまでの外周部をそれぞれ囲む筒状に形成され、
前記保持部材に、前記一端側レンズの外周面を外部に露出させる露出形成部が形成されることを特徴とする光学部材。
【請求項２】
前記露出形成部は、前記保持部材の側部に穴状に形成されることを特徴とする請求項１に記載の光学部材。
【請求項３】
前記保持部材の内周面において前記一端側レンズの外周面と対向する部分に溝部が形成されて、前記一端側レンズの外周面と前記溝部との間に、前記穴状の前記露出形成部と連通する環状の内部空間が形成されることを特徴とする請求項２に記載の光学部材。
【請求項４】
前記露出形成部は、前記保持部材の端部から前記保持部材の延伸方向に延びる切欠き状に形成されることを特徴とする請求項１に記載の光学部材。
【請求項５】
前記一端側レンズの外面側のレンズ面が凸面であることを特徴とする請求項１から４のいずれか一項に記載の光学部材。
【発明の詳細な説明】
【技術分野】
【０００１】
本発明は、反射防止膜等の光学薄膜が塗布された光学部材に関する。
【背景技術】
【０００２】
一般に、カメラレンズや顕微鏡対物レンズ等の光学系を構成する個々のレンズの表面には、光の反射を低減させるために反射防止膜がコーティング（塗布）されている。このような光学薄膜は、例えば、湿式成膜法を用いてレンズの表面に形成される。湿式成膜法では、コーティング液がレンズの曲面に追従して流れる性質を利用して光学薄膜を成膜できるため、比較的容易に均一な膜厚の光学薄膜を形成することができる。また、このような湿式成膜法の中でも、スピンコート法は、レンズに塗布したコーティング液を回転による遠心力で薄く均一に広げて成膜するため、より均一な膜厚の光学薄膜を形成することが可能である。
【０００３】
ところが、スピンコート法を用いて光学薄膜を形成する場合、レンズの形状によっては塗布したコーティング液が塗布面と反対の面（裏面）に回り込むことがあり、特にレンズを吸引チャックしていると、レンズ固定治具とレンズの隙間からコーティング液が吸い込まれてレンズの裏面を汚してしまう場合があった。そこで、レンズと、当該レンズを保持するように取り付けられて一体化された保持部材と、レンズおよび保持部材の表面に形成された光学薄膜を備えた光学部材が提案されている（例えば、特許文献１を参照）。このような光学部材によれば、レンズに保持部材が一体的に取り付けられているため、スピンコート法を用いて光学薄膜を形成する際、余分なコーティング液が回転によって保持部材の端部まで流れた後、周囲に飛び散るため、コーティング液がレンズの裏面に回り込んで汚れるのを防止することができる。
【先行技術文献】
【特許文献】
【０００４】
【特許文献１】国際公開第２００８／０６２８１７号パンフレット
【発明の概要】
【発明が解決しようとする課題】
【０００５】
このような光学部材において接合レンズを使用した場合、コーティング液が接合レンズに用いられる接合剤を溶かす成分を含有することがあるため、湿式成膜法により光学薄膜を形成する際、接合レンズを構成する各レンズの境界部にコーティング液が硬化しないまま長時間にわたり接触すると、接合レンズに用いられている接合剤が溶解して光学性能が低下するおそれがあった。
【０００６】
本発明は、このような問題に鑑みてなされたものであり、湿式成膜法により光学薄膜を形成する際、接合レンズに用いられている接合剤が溶解して光学性能が低下するのを防止した光学部材を提供することを目的とする。
【課題を解決するための手段】
【０００７】
このような目的達成のため、本発明に係る光学部材は、複数のレンズを接合して構成された接合レンズと、前記接合レンズにおける一端に位置する一端側レンズの外面側のレンズ面に湿式成膜法により形成された光学薄膜と、前記接合レンズにおける他端に位置する他端側レンズの外周部と結合して前記接合レンズを保持するように取り付けられ、前記接合レンズと一体的に使用される保持部材とを備え、前記保持部材が前記一端側レンズから前記他端側レンズまでの外周部をそれぞれ囲む筒状に形成され、前記保持部材に、前記一
端側レンズの外周面を外部に露出させる露出形成部が形成される。
【０００８】
また、上述の光学部材において、前記露出形成部は、前記保持部材の側部に穴状に形成されることが好ましい。
【０００９】
また、上述の光学部材において、前記保持部材の内周面において前記一端側レンズの外周面と対向する部分に溝部が形成されて、前記一端側レンズの外周面と前記溝部との間に、前記穴状の前記露出形成部と連通する環状の内部空間が形成されることが好ましい。
【００１０】
また、上述の光学部材において、前記露出形成部は、前記保持部材の端部から前記保持部材の延伸方向に延びる切欠き状に形成されることが好ましい。
【００１１】
また、上述の光学部材において、前記一端側レンズの外面側のレンズ面が凸面であることが好ましい。
【発明の効果】
【００１２】
本発明によれば、湿式成膜法により光学薄膜を形成する際、接合レンズに用いられている接合剤が溶解して光学性能が低下するのを防止することができる。
【図面の簡単な説明】
【００１３】
【図１】第１実施形態の光学部材を示す側断面図である。
【図２】第１実施形態の光学部材におけるテーパ面の近傍を示す拡大図である。
【図３】第１実施形態の変形例を示す部分断面図である。
【図４】（ａ）は第２実施形態の光学部材を示す側断面図であり、（ｂ）は第２実施形態の光学部材を示す平断面図である。
【図５】（ａ）は第３実施形態の光学部材を示す側断面図であり、（ｂ）は第３実施形態の光学部材を示す平断面図である。
【図６】（ａ）は第４実施形態の光学部材を示す側断面図であり、（ｂ）は第４実施形態の光学部材を示す平断面図である。
【発明を実施するための形態】
【００１４】
以下、図面を参照して本発明の好ましい実施形態について説明する。第１実施形態の光学部材を図１に示しており、この光学部材１は、２枚のレンズを接合して構成された接合レンズ５と、接合レンズ５を保持するように取り付けられた保持部材１０と、接合レンズ５のレンズ面に形成された光学薄膜１５とを備えて構成される。接合レンズ５は、接合レンズ５の一端側に位置する凸レンズ６と、接合レンズ５の他端側に位置する凹レンズ７とを有して構成され、凸レンズ６と凹レンズ７とが所定の接合剤を用いて互いに接合されている。凸レンズ６の外面側（一端側）のレンズ面６ａには、湿式成膜法により光学薄膜１５が形成される。この光学薄膜１５は、例えば、反射防止膜等である。
【００１５】
保持部材１０は、凸レンズ６の外周部全体と凹レンズ７の外周部一端側を囲む筒状に形成され、保持部材１０の他端側の内周部には、凸レンズ６および凹レンズ７（一端側）と嵌合するレンズ収容部１１が形成されている。図２に示すように、接合レンズ５の他端側を向く保持部材１０の端面１２の内周部にテーパ面１３が形成されており、保持部材１０の他端側からレンズ収容部１１と嵌合した凹レンズ７の外周面とテーパ面１３とに跨って、凹レンズ７と保持部材１０とを結合させる接着剤１７が塗布されている。これにより、保持部材１０は、凹レンズ７の外周部と結合して接合レンズ５を保持するように取り付けられ、当該接合レンズ５と一体的に使用される。
【００１６】
図１に示すように、保持部材１０の側部には、凸レンズ６の外周面を外部に露出させる
４つの穴部１４，１４，…がそれぞれ等間隔（９０度間隔）に形成されている。この穴部１４は、保持部材１０の側部を貫通する丸穴状に形成され、凸レンズ６の外周面の一部を外部に露出させるようになっている。なお、接合レンズ５の外周面における凹レンズ７と当該凹レンズ７に隣接する凸レンズ６との境界部８は、保持部材１０の穴部１４より他端側に位置して、外部に露出しないようになっている。
【００１７】
以上のように構成される光学部材１において、例えば、湿式成膜法であるスピンコート法により光学薄膜１５を形成する場合、接合レンズ５（凹レンズ７）と結合させた保持部材１０を図示しないスピンコーターの支持部に取り付けた状態で、凸レンズ６の外面側のレンズ面６ａ（中心近傍）にコーティング液を滴下しつつ、接合レンズ５および保持部材１０を中心軸回りに回転させる。そうすると、回転による遠心力により、コーティング液が凸レンズ６のレンズ面６ａを流れていき、余分なコーティング液は保持部材１０の内周面と凸レンズ６の外周面との隙間を流れて、保持部材１０の４つの穴部１４，１４，…から周囲に飛び散って排出される。これにより、塗布したコーティング液が凸レンズ６のレンズ面６ａ（塗布面）と反対の面（裏面）に回り込むのを防止できるとともに、接合レンズ５の辺縁部にコーティング液が溜まるのを防止することができ、膜厚の均一性が高い光学薄膜１５を形成することができる。
【００１８】
また、保持部材１０の側部に凸レンズ６の外周面を外部に露出させる穴部１４が形成されて、この穴部１４から余分なコーティング液が排出されるように構成されるため、凸レンズ６と凹レンズ７との境界部８近傍にコーティング液が溜まることがなく、コーティング液が硬化しないまま長時間にわたり境界部８に接触するのを防止することができ、接合レンズ５に用いられている接合剤が溶解して光学性能が低下するのを防止することが可能となる。このように、第１実施形態によれば、湿式成膜法により光学薄膜１５を形成する際、接合レンズ５に用いられている接合剤が溶解して光学性能が低下するのを防止することができる。
【００１９】
なお、凸レンズ６のような縁厚の少ない（特に、縁厚が０．５ｍｍ以下の）レンズが接合レンズ５の一端側に位置する場合、本実施形態のように、保持部材１０を他端側の凹レンズ７と結合させる必要がある。このとき、保持部材１０等にコーティング液を排出する手段が設けられていないと、余分なコーティング液が保持部材１０の内周面と凸レンズ６の外周面との隙間を流れて、コーティング液が硬化しないまま長時間にわたり境界部８に接触することになる。これに対し、本実施形態のように、保持部材１０に凸レンズ６の外周面を外部に露出させる穴部１４が形成されることで、前述したように、コーティング液が硬化しないまま長時間にわたり境界部８に接触するのを防止することができるため、凸レンズ６のような縁厚の少ないレンズに光学薄膜１５を形成する場合に、接合レンズ５に用いられている接合剤が溶解して光学性能が低下するのを効果的に防止することができる。
【００２０】
また、上述の第１実施形態において、保持部材１０の穴部１４が丸穴状に形成されているが、これに限られるものではなく、例えば、図３に示すように、保持部材１０の穴部１４ａが保持部材１０の周方向に延びる長穴状に形成されてもよい。これにより、コーティング液の排出量が増えて境界部８近傍にコーティング液がより溜まりにくくなるので、接合レンズ５に用いられている接合剤が溶解して光学性能が低下するのを確実に防止することができる。
【００２１】
また、上述の第１実施形態において、保持部材１０の穴部１４が４つ形成されているが、これに限られるものではなく、例えば、６つであってもよく、複数設けられていればよい。但し、コーティング液の排出量を増やすため、穴部１４の数は４つ以上が好ましい。
【００２２】
次に、光学部材の第２実施形態について説明する。図４に示すように、第２実施形態の光学部材２１は、２枚のレンズを接合して構成された接合レンズ５と、接合レンズ５を保持するように取り付けられた保持部材３０と、接合レンズ５のレンズ面に形成された光学薄膜１５とを備えて構成される。なお、第２実施形態の接合レンズ５および光学薄膜１５は、第１実施形態のものと同様の構成であり、各部に第１実施形態の場合と同一の符号を付して詳細な説明を省略する。
【００２３】
保持部材３０は、凸レンズ６の外周部全体と凹レンズ７の外周部一端側を囲む筒状に形成され、保持部材３０の他端側の内周部には、凸レンズ６および凹レンズ７（一端側）と嵌合するレンズ収容部３１が形成されている。詳細な図示を省略するが、第１実施形態の場合と同様に、接合レンズ５の他端側を向く保持部材３０の端面の内周部にテーパ面（図示せず）が形成されており、保持部材３０の他端側からレンズ収容部３１と嵌合した凹レンズ７の外周面とテーパ面とに跨って、凹レンズ７と保持部材３０とを結合させる接着剤（図示せず）が塗布される。これにより、保持部材３０は、凹レンズ７の外周部と結合して接合レンズ５を保持するように取り付けられ、当該接合レンズ５と一体的に使用される。
【００２４】
保持部材３０の側部には、凸レンズ６の外周面を外部に露出させる４つの穴部３４，３４，…がそれぞれ等間隔（９０度間隔）に形成されている。この穴部３４は、保持部材３０の側部を貫通する丸穴状に形成され、凸レンズ６の外周面の一部を外部に露出させるようになっている。また、保持部材３０の内周面において凸レンズ６の外周面と対向する部分には、保持部材１０の周方向に延びる溝部３６が形成されており、凸レンズ６の外周面と溝部３６との間に、４つの穴部３４，３４，…とそれぞれ連通する環状の内部空間Ａが形成されるようになっている。なお、凸レンズ６と凹レンズ７との境界部８は、保持部材３０の溝部３６より他端側に位置して、外部に露出しないようになっている。
【００２５】
以上のように構成される光学部材２１において、例えば、湿式成膜法であるスピンコート法により光学薄膜１５を形成する場合、接合レンズ５（凹レンズ７）と結合させた保持部材３０を図示しないスピンコーターの支持部に取り付けた状態で、凸レンズ６の外面側のレンズ面６ａ（中心近傍）にコーティング液を滴下しつつ、接合レンズ５および保持部材３０を中心軸回りに回転させる。そうすると、第１実施形態の場合と同様に、塗布したコーティング液が凸レンズ６のレンズ面６ａ（塗布面）と反対の面（裏面）に回り込むのを防止できるとともに、接合レンズ５の辺縁部にコーティング液が溜まるのを防止することができ、膜厚の均一性が高い光学薄膜１５を形成することができる。
【００２６】
また、保持部材３０の側部に凸レンズ６の外周面を外部に露出させる穴部３４が形成されて、この穴部３４から余分なコーティング液が排出されるように構成されている。そのため、第２実施形態によれば、第１実施形態の場合と同様の効果を得ることができる。さらに、保持部材３０の内周面において凸レンズ６の外周面と対向する部分に溝部３６が形成されて、凸レンズ６の外周面と溝部３６との間に、４つの穴部３４，３４，…とそれぞれ連通する環状の内部空間Ａが形成されるようになっている。そのため、第２実施形態によれば、穴部３４から余分なコーティング液を排出しやすくなって、境界部８近傍にコーティング液がより溜まりにくくなるので、接合レンズ５に用いられている接合剤が溶解して光学性能が低下するのを確実に防止することができる。
【００２７】
なお、上述の第２実施形態において、保持部材３０の穴部３４が４つ形成されているが、これに限られるものではなく、例えば、６つであってもよく、複数設けられていればよい。但し、コーティング液の排出量を増やすため、穴部３４の数は４つ以上が好ましい。また、穴部３４の形状は、丸穴状に限らず、保持部材３０の周方向に延びる長穴状に形成されてもよい。
【００２８】
次に、光学部材の第３実施形態について説明する。図５に示すように、第３実施形態の光学部材４１は、２枚のレンズを接合して構成された接合レンズ５と、接合レンズ５を保持するように取り付けられた保持部材５０と、接合レンズ５のレンズ面に形成された光学薄膜１５とを備えて構成される。なお、第３実施形態の接合レンズ５および光学薄膜１５は、第１実施形態のものと同様の構成であり、各部に第１実施形態の場合と同一の符号を付して詳細な説明を省略する。
【００２９】
保持部材５０は、凸レンズ６の外周部全体と凹レンズ７の外周部一端側を囲む筒状に形成され、保持部材５０の他端側の内周部には、凸レンズ６および凹レンズ７（一端側）と嵌合するレンズ収容部５１が形成されている。詳細な図示を省略するが、第１実施形態の場合と同様に、接合レンズ５の他端側を向く保持部材５０の端面の内周部にテーパ面（図示せず）が形成されており、保持部材５０の他端側からレンズ収容部５１と嵌合した凹レンズ７の外周面とテーパ面とに跨って、凹レンズ７と保持部材５０とを結合させる接着剤（図示せず）が塗布される。これにより、保持部材５０は、凹レンズ７の外周部と結合して接合レンズ５を保持するように取り付けられ、当該接合レンズ５と一体的に使用される。
【００３０】
保持部材５０の一端側には、凸レンズ６の外周面を外部に露出させる４つの切欠き部５４，５４，…がそれぞれ等間隔（９０度間隔）に形成されている。この切欠き部５４は、保持部材５０の一端から他端側へ当該保持部材５０の延伸方向に延びるように形成され、凸レンズ６の外周面の一部を外部に露出させるようになっている。なお、凸レンズ６と凹レンズ７との境界部８は、保持部材５０の切欠き部５４より他端側に位置して、外部に露出しないようになっている。
【００３１】
以上のように構成される光学部材４１において、例えば、湿式成膜法であるスピンコート法により光学薄膜１５を形成する場合、接合レンズ５（凹レンズ７）と結合させた保持部材５０を図示しないスピンコーターの支持部に取り付けた状態で、凸レンズ６の外面側のレンズ面６ａ（中心近傍）にコーティング液を滴下しつつ、接合レンズ５および保持部材５０を中心軸回りに回転させる。そうすると、回転による遠心力により、コーティング液が凸レンズ６のレンズ面６ａを流れていき、余分なコーティング液は保持部材５０の４つの切欠き部５４，５４，…から周囲に飛び散って排出される。これにより、塗布したコーティング液が凸レンズ６のレンズ面６ａ（塗布面）と反対の面（裏面）に回り込むのを防止できるとともに、接合レンズ５の辺縁部にコーティング液が溜まるのを防止することができ、膜厚の均一性が高い光学薄膜１５を形成することができる。
【００３２】
また、保持部材５０の一端側に凸レンズ６の外周面を外部に露出させる切欠き部５４が形成されて、この切欠き部５４から余分なコーティング液が排出されるように構成されている。そのため、第３実施形態によれば、第１実施形態の場合と同様の効果を得ることができる。
【００３３】
なお、上述の第３実施形態において、保持部材５０の切欠き部５４が４つ形成されているが、これに限られるものではなく、例えば、６つであってもよく、複数設けられていればよい。但し、コーティング液の排出量を増やすため、切欠き部５４の数は４つ以上が好ましい。
【００３４】
次に、光学部材の第４実施形態について説明する。図６に示すように、第４実施形態の光学部材６１は、２枚のレンズを接合して構成された接合レンズ５と、接合レンズ５を保持するように取り付けられた保持部材７０と、接合レンズ５のレンズ面に形成された光学薄膜１５とを備えて構成される。なお、第４実施形態の接合レンズ５および光学薄膜１５
は、第１実施形態のものと同様の構成であり、各部に第１実施形態の場合と同一の符号を付して詳細な説明を省略する。
【００３５】
保持部材７０は、凸レンズ６の外周部全体と凹レンズ７の外周部一端側を囲む筒状に形成され、保持部材７０の他端側の内周部には、凸レンズ６および凹レンズ７（一端側）と嵌合するレンズ収容部７１が形成されている。詳細な図示を省略するが、第１実施形態の場合と同様に、接合レンズ５の他端側を向く保持部材７０の端面の内周部にテーパ面（図示せず）が形成されており、保持部材７０の他端側からレンズ収容部７１と嵌合した凹レンズ７の外周面とテーパ面とに跨って、凹レンズ７と保持部材７０とを結合させる接着剤（図示せず）が塗布される。これにより、保持部材７０は、凹レンズ７の外周部と結合して接合レンズ５を保持するように取り付けられ、当該接合レンズ５と一体的に使用される。
【００３６】
また、保持部材７０の他端側には、凸レンズ６および凹レンズ７（一端側）の外周面を外部に露出させる４つの切欠き部７４，７４，…がそれぞれ等間隔（９０度間隔）に形成されている。この切欠き部７４は、保持部材７０の他端から一端側へ当該保持部材７０の延伸方向に延びるように形成され、凸レンズ６および凹レンズ７（一端側）の外周面の一部を外部に露出させるようになっている。なお、凸レンズ６と凹レンズ７との境界部８も、保持部材７０の切欠き部７４によって、一部が外部に露出するようになっている。
【００３７】
以上のように構成される光学部材６１において、例えば、湿式成膜法であるスピンコート法により光学薄膜１５を形成する場合、接合レンズ５（凹レンズ７）と結合させた保持部材７０を図示しないスピンコーターの支持部に取り付けた状態で、凸レンズ６の外面側のレンズ面６ａ（中心近傍）にコーティング液を滴下しつつ、接合レンズ５および保持部材７０を中心軸回りに回転させる。そうすると、回転による遠心力により、コーティング液が凸レンズ６のレンズ面６ａを流れていき、余分なコーティング液は保持部材７０の内周面と凸レンズ６の外周面との隙間を流れて、保持部材７０の４つの切欠き部７４，７４，…から周囲に飛び散って排出される。これにより、塗布したコーティング液が凸レンズ６のレンズ面６ａ（塗布面）と反対の面（裏面）に回り込むのを防止できるとともに、接合レンズ５の辺縁部にコーティング液が溜まるのを防止することができ、膜厚の均一性が高い光学薄膜１５を形成することができる。
【００３８】
また、保持部材７０の他端側に凸レンズ６の外周面を外部に露出させる切欠き部７４が形成されて、この切欠き部７４から余分なコーティング液が排出されるように構成されている。そのため、第４実施形態によれば、第１実施形態の場合と同様の効果を得ることができる。
【００３９】
なお、上述の第４実施形態において、保持部材７０の切欠き部７４が４つ形成されているが、これに限られるものではなく、例えば、６つであってもよく、複数設けられていればよい。但し、コーティング液の排出量を増やすため、切欠き部７４の数は４つ以上が好ましい。
【００４０】
また、上述の各実施形態において、光学部材が図示しない光学装置等に組み込まれたときに、保持部材が開口絞り等の絞り部材として機能するようにしてもよい。このようにすれば、光学部材が組み込まれる光学装置等において、部品点数を低減させることができる。
【００４１】
また、上述の各実施形態において、接合レンズ５の一端側に凸レンズ６が設けられているが、これに限られるものではなく、例えば、接合レンズ５の一端側に凸面を向いたメニスカスレンズであってもよく、光学薄膜１５の塗布されるレンズ面（接合レンズ５の一端
側に位置するレンズの外面側のレンズ面）が凸面である場合に同様の効果が期待できる。
【００４２】
また、上述の各実施形態において、接合レンズ５の他端側に凹レンズ７が設けられているが、これに限られるものではなく、例えば、メニスカスレンズであってもよく、保持部材と結合可能なレンズであればよい。
【００４３】
また、上述の各実施形態において、接合レンズが２枚のレンズ（ダブレット）を接合して構成されているが、これに限られるものではなく、例えば、３枚のレンズ（トリプレット）を接合して構成されるようにしてもよく、複数のレンズを接合して構成されていればよい。
【００４４】
また、上述の各実施形態において、スピンコート法により光学薄膜を形成しているが、これに限られるものではなく、例えば、ディップコート法により光学薄膜を形成するようにしてもよく、湿式成膜法により光学薄膜を形成するようにすればよい。
【符号の説明】
【００４５】
１  光学部材（第１実施形態）
５  接合レンズ
６  凸レンズ（一端側レンズ）            ７  凹レンズ（他端側レンズ）
８  境界部
１０  保持部材                          １４  穴部（露出形成部）
１５  光学薄膜
２１  光学部材（第２実施形態）
３０  保持部材                          ３４  穴部（露出形成部）
３６  溝部
４１  光学部材（第３実施形態）
５０  保持部材                          ５４  切欠き部（露出形成部）
６１  光学部材（第４実施形態）
７０  保持部材                          ７４  切欠き部（露出形成部）
Ａ  内部空間
【図１】
2012118426.tif 000003
【図２】
2012118426.tif 000004
【図３】
2012118426.tif 000005
【図４】
2012118426.tif 000006
【図５】
2012118426.tif 000007
【図６】
2012118426.tif 000008